(57)【要約】【課題】臀部の形状に沿って良好にフィットでき、且つヒップホールド部におけるめくれの発生を防止することで装着感に優れた吸収性物品を提供する。【解決手段】透液性の表面シートと、不透液性の裏面シートと、前記表面シートと前記裏面シートとの間に設けられた吸収体とを有する本体と、ヒップホールド部とを備えた吸収性物品であって、前記本体は、前後方向に所定の長さ及び該前後方向と直交する方向に所定の幅を有する形状であり、前記ヒップホールド部は、前記本体の後方側部から突出する側部領域と、前記本体の後端部から突出する後部領域とを有し、前記側部領域において、前記本体の前後方向中心線からの幅が最も大きい部分を含む第１凸部と、前記第１凸部より前方に隣接する第１凹部と、前記第１凹部より前方に隣接する第２凸部とを有し、前記第２凸部の前記中心線からの幅は、前記第１凹部の前記中心線からの最も小さい幅と同じか又はそれよりも小さい。【選択図】図１
2018015240.tif 000002
【特許請求の範囲】
【請求項１】
透液性の表面シートと、不透液性の裏面シートと、前記表面シートと前記裏面シートとの間に設けられた吸収体とを有する本体と、ヒップホールド部とを備えた吸収性物品であって、
前記本体は、前後方向に所定の長さ及び該前後方向と直交する方向に所定の幅を有する形状であり、
前記ヒップホールド部は、前記本体の後方側部から突出する側部領域と、前記本体の後端部から突出する後部領域とを有し、前記側部領域において、前記本体の前後方向中心線からの幅が最も大きい部分を含む第１凸部と、前記第１凸部より前方に隣接する第１凹部と、前記第１凹部より前方に隣接する第２凸部とを有し、
前記第２凸部の前記中心線からの幅は、前記第１凹部の前記中心線からの最も小さい幅と同じか又はそれよりも小さい、吸収性物品。
【請求項２】
前記第１凸部及び前記第２凸部の曲率半径は、前記第１凹部の曲率半径より大きい、請求項１に記載の吸収性物品。
【請求項３】
前記ヒップホールド部は、前記後部領域において、第３凸部と、前記第３凸部の両側に隣接する第３凹部及び第４凹部とを有し、前記第３凸部の頂点は前記中心線上に位置している、請求項１又は２に記載の吸収性物品。
【請求項４】
前記第３凸部の曲率半径は、前記第３凹部の曲率半径及び前記第４凹部の曲率半径より小さい、請求項３に記載の吸収性物品。
【請求項５】
前記本体の前方側部にウィング部を有しており、
前記ウィング部と前記ヒップホールド部との間の中間部の外形線には、凹凸が設けられていない、請求項１から４のいずれか１項に記載の吸収性物品。
【請求項６】
前記ウィング部の後端の、前記吸収性物品の最も幅が小さくなる点から、前記ヒップホールド部の外形のうち最も外側の外形線と接する仮想線を引いたとき、当該仮想線と前記中心線とのなす角度が１５°以上２２°以下である、請求項５に記載の吸収性物品。
【発明の詳細な説明】
【技術分野】
【０００１】
本発明は、吸収性物品に関する。
【背景技術】
【０００２】
従来、パンティライナー、生理用ナプキン、失禁パッド等の吸収性物品として、透液性の表面シートとの不透液性の裏面シートとの間に吸収体が設けられたものが知られている。
【０００３】
さらに近年では、吸収性物品の後方及び／又は斜め後方から体液が漏れることを防止するために、吸収性物品の両側部後方から後端部にわたり長さ及び幅を大きくした拡張部分を設けることが知られている。
【０００４】
例えば、特許文献１には、第１くびれ部と、第１くびれ部よりも後方に位置し、第１くびれ部よりも幅方向外側に突出すると共に、ヒップフラップ部の幅が最大となる部分を含む第１フラップ部と、第１くびれ部よりも前方に位置し、第１くびれ部よりも幅方向外側に突出する第２フラップ部とを備えたヒップフラップ部を備えた吸収性物品が開示されている。
【０００５】
また、特許文献２には、縦方向の長さ寸法が、折り返しフラップ部よりも大きく、折り返しフラップ部よりも後方に、縦方向中心線から縁部までの横方向の半幅寸法が極小となる部分から後方へ向けて大きくなり始める起点が設けられ、前方拡開部と、縦方向中心線と平行な縁を有する中間部と、後方収束部とを有する後方フラップを備えた生理用ナプキンが開示されている。
【先行技術文献】
【特許文献】
【０００６】
【特許文献１】特開２０１４−３６８３２号公報
【特許文献２】特許第４４７６６１１号公報
【発明の概要】
【発明が解決しようとする課題】
【０００７】
しかしながら、特許文献１の吸収性物品では、第１フラップ部の前方に位置するフラップ部がめくれやすく、めくれた箇所が肌に当たると違和感を感じる可能性があった。
【０００８】
また、特許文献２の生理用ナプキンの後方フラップ部の形状では、臀部の丸みに沿ったフレキシブルな変形はできない。そのため、後方フラップ部は臀部に良好にフィットすることができず、フラップ部と臀部との間に隙間が生じる場合には、当該隙間から体液の漏れが発生するおそれがあった。
【０００９】
上記の点に鑑みて、本発明は、臀部の形状に沿って良好にフィットでき、且つヒップホールド部におけるめくれの発生を防止することで装着感に優れた吸収性物品を提供することを課題とする。
【課題を解決するための手段】
【００１０】
上記課題を解決するため、本発明の第一の態様は、透液性の表面シートと、不透液性の裏面シートと、前記表面シートと前記裏面シートとの間に設けられた吸収体とを有する本体と、ヒップホールド部とを備えた吸収性物品であって、前記本体は、前後方向に所定の長さ及び該前後方向と直交する方向に所定の幅を有する形状であり、前記ヒップホールド部は、前記本体の後方側部から突出する側部領域と、前記本体の後端部から突出する後部領域とを有し、前記側部領域において、前記本体の前後方向中心線からの幅が最も大きい部分を含む第１凸部と、前記第１凸部より前方に隣接する第１凹部と、前記第１凹部より前方に隣接する第２凸部とを有し、前記第２凸部の前記中心線からの幅は、前記第１凹部の前記中心線からの最も小さい幅と同じか又はそれよりも小さい。
【００１１】
上記第一の態様では、ヒップホールド部が、側部領域において、前後方向中心線からの幅が最も大きい部分を含む第１凸部と、第１凸部より前方に隣接する第１凹部と、第１凹部より前方に隣接する第２凸部とを有している。そのため、吸収性物品を装着する際にヒップホールド部を臀部に沿うように当てた時、第１凸部と第２凸部との間の第１凹部の存在によって、第１凸部と第２凸部は互いに相手側に影響を及ぼすことなく独立に変形することができる。これにより、ヒップホールド部は臀部の曲面形状（丸み）に沿って変形することができ、ヒップホールド部の身体へのフィット性を高めることができる。
【００１２】
しかしながら、第２凸部は、第１凸部よりも前方に形成されている、つまり、装着時に脚の付け根により近接する位置に形成されていることから、脚の動きによる力を受けやすい。そのため、第２凸部では、凸部（の一部）がめくれて、肌側又は下着側に折れ曲がったり、小さなシワやヨレが発生したりすることがある（以下、「めくれ又はヨレ」という場合がある）。
【００１３】
しかし、第２凸部の前記中心線からの幅を、第１凹部の前記中心線からの最も小さい幅と同じか又はそれよりも小さくすることによって、第２凸部がめくれる傾向を抑えることが可能となる。しかも、上述のように第１凸部と第２凸部との間に第１凹部があるので、第１凸部と第２凸部とがそれぞれ独立して変形するという作用・機能は維持される。したがって、ヒップホールド部の身体へのフィット性を維持しつつ、めくれた部分が身体に当ることにより生じる違和感を低減することができ、装着感に優れた吸収性物品を提供することができる。
【００１４】
本発明の第二の態様によれば、前記第１凸部及び第２凸部の曲率半径は、前記第１凹部の曲率半径より大きい。
【００１５】
上記第二の態様では、第１凸部及び第２凸部の曲率半径を第１凹部の曲率半径より大きくすることによって、ヒップホールド部が臀部の丸みに沿ってさらに変形しやすくなり、ヒップホールド部の身体へのフィット性をより向上させることができる。
【００１６】
本発明の第三の態様によれば、前記ヒップホールド部は、前記後部領域において、第３凸部と、前記第３凸部の両側に隣接する第３凹部及び第４凹部とを有し、前記第３凸部の頂点は前記中心線上に位置している。
【００１７】
上記第三の態様では、後部領域において、第３凸部の頂点が、前後方向中心線上に位置しているので、仰向けに寝たときに、臀部の割れ目（谷間）に沿って体液が伝って流れた場合でも、後方からの体液の漏れをより良好に防止することができる。
【００１８】
本発明の第四の態様によれば、前記第３凸部の曲率半径は、前記第３凹部の曲率半径及び前記第４凹部の曲率半径より小さい。
【００１９】
上記第四の態様では、第３凸部の曲率半径を、第３凹部の曲率半径及び第４凹部の曲率半径より小さくすることで、第３凸部が前後方向中心線に沿って変形しやすくなる。そのため、ヒップホールド部が臀部の谷間に入り込みやすくなり、臀部の割れ目を伝ってくる体液を確実に吸収することができる。
【００２０】
本発明の第五の態様によれば、前記本体の前方側部にウィング部を有しており、前記ウィング部と前記ヒップホールド部との間の中間部の外形線には、凹凸が設けられていない。
【００２１】
上記第五の態様では、ウィング部とヒップホールド部との間の中間部の外形線に凹凸を設けないことによって、凹凸に起因する、脚周りで発生しやすい側部でのめくれを防止することができる。
【００２２】
本発明の第六の態様によれば、前記ウィング部の後端の、前記吸収性物品の最も幅が小さくなる点から、前記ヒップホールド部の外形のうち最も外側の外形線と接する仮想線を引いたとき、当該仮想線と前記中心線とのなす角度が１５°以上２２°以下である。
【００２３】
上記第六の態様では、ウィング部の後端から、ヒップホールド部の最も外側の外形線と接する仮想線を引いたとき、仮想線と中心線とのなす角度を１５°以上２２°以下とすることによって、吸収性物品の側部でのめくれやヨレを低減でき、脚周りでの違和感のない装着感に優れた吸収性物品が提供される。
【発明の効果】
【００２４】
本発明の一態様によれば、臀部の形状に沿って良好にフィットでき、且つヒップホールド部におけるめくれの発生を防止することで装着感に優れた吸収性物品が提供される。
【図面の簡単な説明】
【００２５】
【図１】本発明の一態様による吸収性物品の一部破断図である。
【図２】本発明の一態様による吸収性物品のＡ−Ａ線断面図である。
【図３】本発明の一態様におけるヒップホールド部の部分拡大図である。
【図４】本発明の一態様におけるヒップホールド部の部分拡大図である。
【図５】本発明の一態様による吸収性物品が装着された状態を示すモデル図である。
【発明を実施するための形態】
【００２６】
以下、本発明の実施の態様について図面を参照しながら説明する。
【００２７】
吸収性物品１は、図１及び図２に示すように、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。吸収性物品１は、さらに、図１に示すように、後述のヒップホールド部Ｈ、及びウィングＷＧを備えたウィング部Ｗを有する。
【００２８】
吸収性物品１を使用する場合は、ウィング部Ｗ側が前方方向を向き、ヒップホールド部Ｈ側が後方方向を向くように下着に装着する。本体８は、図１に示すように、全体としては、前後方向に所定の長さａを有する細長い形状であり、前後方向と直交する方向に一定の幅ｂを有している。そして、吸収性物品１は、前後方向に延びる中心線ＣＬに対し略線対称の形状になっている。
【００２９】
吸収体４の前方及び後方の端縁部では、裏面シート２の外縁と表面シート３の外縁とが、ホットメルト等の接着剤やヒートシール、超音波シール等の接着手段によって接合されている。また、表面シート側の両側部には、それぞれ前後方向（長手方向）に沿ってサイド不織布７が設けられている。サイド不織布７は、本体８の側方に部分的に突出し、同じく側方に突出する裏面シート２に積層され、ホットメルト等の接着剤やヒートシール、超音波シール等の接着手段によって接合されており、これにより、ヒップホールド部Ｈの側部領域１０及びウィングＷＧが形成されている。
【００３０】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００３１】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法の内、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００３２】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（sｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３３】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００３４】
吸収体４の厚みは、約０．５〜２５ｍｍの範囲内とすることが好ましい。吸収体４は、前面にわたり均一な厚みを有していなくともよく、体液排出部位に対応した部分を膨出させた構造とすることもできる。また、吸収体４は、積繊又はエアレイド法によって製造されたものが好ましい。
【００３５】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロリド系撥水剤などをコーティングした撥水処理不織布を用いることが好ましい。また、ヒップホールド部Ｈにおける経血等の吸収性を高める場合には、不織布の材料として、親水処理された不織布を用いることが好ましい。不織布の種類としては、折り癖が付きにくく、シワに成りにくく柔らかいエアスルー不織布が好ましい。
【００３６】
ヒップホールド部Ｈの側部領域１０及びウィング部ＷのウィングＷＧの外縁には、図１に示すように、サイド不織布７と裏面シート２との接合のため及び剛性を高めるために、所定の箇所に、ドットエンボスや所定の形状を有するエンボスを施したエンボス加工部Ｅを設けることができる。
【００３７】
本態様においては、吸収性物品１は、透液性の表面シート３と、不透液性の裏面シート２と、前記表面シート３と前記裏面シート２との間に設けられた吸収体４とを有する本体８と、ヒップホールド部Ｈとを備えている。
【００３８】
ヒップホールド部Ｈは、吸収性物品の両側部後方から後端部にわたる部分の長さ及び幅を大きくすることによって形成された面積拡張部分であり、図５に示すように、装着時に下着の臀部内面側に固定されることで、吸収性物品１の後方及び／又は斜め後方からの体液の漏れを阻止する機能を有する。ヒップホールド部Ｈは、図１に示すように、吸収性物品１の本体８の両側部の後方から後端部にかけて延在する、サイド不織布７と裏面シート２とが積層されたフラップ状の部分を含む。
【００３９】
ヒップホールド部Ｈは、本体８の後方側部から突出する側部領域１０と、本体８の後端部から突出する後部領域２０とを有している。ヒップホールド部Ｈの側部領域１０は、主として裏面シート２とサイド不織布７とが貼り合せられて構成された領域を含み、後部領域２０は、主として裏面シート２と表面シート３とが貼り合せられて構成された領域を含む。
【００４０】
ヒップホールド部Ｈの側部領域１０及び後部領域２０は、吸収体４を有さず、本体８に比べて薄く構成されていることが好ましい。これにより、本体８よりもフレキシブルな動きをすることができる。但し、本体８で用いられる吸収体４より薄く構成された吸収体を、ヒップホールド部Ｈ内の裏面シート２とサイド不織布７との間に積層させることもできる。
【００４１】
ヒップホールド部Ｈは、装着時に下着のクロッチ部分の後端に対応する位置を起点として、吸収性物品１の後端まで延びる部分とすることができる。図１の例では、ヒップホールド部Ｈは、第２凸部４２の前方の終端がある位置から吸収性物品１の後端までの前後方向にわたる部分とすることができる。例えば、ヒップホールド部Ｈの前後方向の長さは、５０ｍｍ以上２００ｍｍ以下であると好ましく、８０ｍｍ以上１８０ｍｍ以下であるとより好ましい。また、吸収性物品１の全長は２００ｍｍ以上４５０ｍｍ以下とすることができ、この全長に対してヒップホールド部Ｈの前後方向の長さは、１０％以上５０％以下であると好ましい。なお、ヒップホールド部Ｈは、吸収性物品１の幅が最も大きくなる部分を含み、その幅は、１２０ｍｍ以上２３０ｍｍ以下であると好ましい。
【００４２】
さらに、ヒップホールド部Ｈには、その外周（外形線）に凹凸が設けられている。例えば、図１に示すように、側部領域１０において、本体８の前後方向中心線からの幅が最も大きい部分を含む第１凸部４１と、第１凸部４１より前方に隣接する第１凹部５１と、第１凹部５１より前方に隣接する第２凸部４２とを有する。
【００４３】
以下、ヒップホールド部Ｈの外周に凹凸部を形成することによる作用を説明する。
【００４４】
ヒップホールド部Ｈは、全体としては平面状である。この様な平面状のヒップホールド部Ｈを臀部に当てた場合、臀部が曲面形状を有するために、平面形状と曲面形状との違いに起因して、特にヒップホールド部Ｈの外周領域に歪が生じ、シワが発生し得る。発生するシワの大きさや数はヒップホールド部Ｈ全体の面積（エリア）及び臀部の曲面の形状に関係するが、ヒップホールド部Ｈの外周に上述のような凸部及び凹部が形成されていない場合は、ヒップホールド部Ｈの外周領域の複数の箇所に大きなシワが発生し得る。この様な大きなシワが臀部の肌に接すると違和感を与えるが、特に、長時間椅子に腰掛けている場合、或いは夜間仰向けに寝ている場合は、体重の一部が臀部に加わるため、その分、違和感乃至不快感は大きくなる。また、就寝中の姿勢の変化或いは着席中の姿勢の変化により臀部に掛かる体重の大きさや、臀部とヒップホールド部Ｈとの接触状態が変化することで、シワが一層大きくなり得る。さらに夜間等で、仰向け或いは横向きで寝ている場合は、そのようなシワにより生じた隙間から体液が外部に漏洩しやすくなる。
【００４５】
これに対し、本態様では、ヒップホールド部Ｈの外形形状には、２つの凸部の間に凹部が存在しているため、例えば、第１凸部４１にシワを発生させる力が作用しても、第１凹部５１の存在により第２凸部４２に第１凸部４１で発生する力が伝播しないために、第１凸部４１に生じた力は第１凸部４１のエリアに留まることになる。第２凸部４２にシワを生じさせる力が作用した場合も同様である。このように、第１凸部４１と第２凸部４２とは互いに影響を及ぼすことなくそれぞれ独立に変形することができる。また、シワが発生しても、そのシワが大きくなることはない。
【００４６】
よって、吸収性物品を装着する際にヒップホールド部Ｈを臀部の曲面に沿うように当てた時、ヒップホールド部Ｈを、臀部の曲面に沿って変形させることができる。これにより、ヒップホールド部Ｈの臀部へのフィット性を向上させることができる。
【００４７】
なお、図示の態様では、ヒップホールド部Ｈの側部領域１０において第１凸部４１、第１凹部５１及び第２凸部４２が設けられた構成となっているが、凸部及び凹部の数及び形状は図示の例に限られない。例えば、ヒップホールド部Ｈの側部領域１０には、２〜５個の凸部を設けることができ、１〜５個の凹部を設けることができる。
【００４８】
さらに、図３に示すように、ヒップホールド部Ｈの側部領域１０では、中心線ＣＬからの第２凸部４２の幅ｃは、中心線ＣＬからの第１凹部５１の最も小さい幅ｄと同じか又はそれよりも小さくなっている。すなわち、第１凹部５１の最も幅の小さい位置（第１凹部５１の外形線から第２凸部４２の外形線への移行点）から、前後方向中心線ＣＬと平行な基準線ＳＬを引いた場合、第２凸部４２は、その基準線ＳＬから外側に突出することがない。
【００４９】
なお、上記の第１凹部５１の外形線から第２凸部４２の外形線への移行点は、第１凹部５１の外形線から第２凸部４２の外形線へと続く曲線の接線の向きが連続的に変化している場合には、曲線の変曲点となる。曲線の接線の向きの変化が不連続である場合には、移行点の近傍を滑らかな曲線で近似するとよい。
【００５０】
図１、３に示すように、第２凸部４２は、第１凸部４１よりも前方に形成されている、つまり、装着時に脚の付け根により近接する位置に形成されているため、第２凸部４２は、脚の動きによる力を受けやすい。そのために、第２凸部４２の中心線ＣＬからの幅を、第１凹部５１の中心線ＣＬからの最も小さい幅よりも大きくするほど（基準線ＳＬよりも外側に突出させるほど）、より脚の動きによる力を受けやすくなるので、第２凸部４２が大きくめくれたり、ヨレたりしやすい。これに対し、本態様では、上述のように第２凸部４２が比較的緩やかに設けられていて、幅方向外側に過度に突出していないので、脚の動きによる力を受けた場合でも、第２凸部４２のめくれ又はヨレが発生しにくい。しかも、第２凸部４２と第１凸部４１との間には第１凹部５１が存在しているので、上述した、第１凸部４１側でシワを発生させる力が発生しても第２凸部４２側に伝播することを防ぐ機能を維持することができる。したがって、ヒップホールド部Ｈの臀部の曲面へのフィット性を維持しつつ、めくれた部分又はヨレた部分が臀部の肌面に当ることにより生じる違和感を低減することができ、装着感に優れた吸収性物品を提供することができる。しかも、本態様のヒップホールド部Ｈの構成は、使用者の臀部の曲面形状が異なっていても、各曲面形状に適合し得る構成であるので、様々な体型の使用者に装着感に優れた吸収性物品を提供することができる。
【００５１】
なお、ヒップホールド部Ｈの側部領域１０に３個以上の凸部と２個以上の凹部を設ける場合であっても、凹部とその前方の凸部との関係は、凸部の中心線からの幅が、凹部の中心線から最も小さい幅と同じ幅又はそれより小さい幅となるようにすればよい。
【００５２】
上述のように、本態様による吸収性物品１は、身体、特に臀部へのフィット性が高く、且つヒップホールド部Ｈの凸部のめくれ又はヨレを良好に防ぐ。そのため、ヒップホールド部Ｈと臀部との間には隙間ができにくい。よって、そのような隙間からの体液の漏れも効果的に防止することができる。
【００５３】
ヒップホールド部Ｈの側部領域１０において、第１凸部４１及び第２凸部４２の曲率半径は、第１凹部５１の曲率半径より大きくするのが好ましい。これにより、第１凹部５１のくびれを相対的により深く形成することができるので、第１凹部５１が一種の切れ目のように作用するため、第１凸部４１基点として、第１凸部４１と第２凸部４２とが、臀部の曲面により適合するように独立して変形しやすくなる。よって、ヒップホールド部Ｈが臀部の曲面に沿ってさらに変形しやすくなり、ヒップホールド部Ｈの体へのフィット性をさらに向上させることができる。
【００５４】
なお、ヒップホールド部Ｈの側部領域１０に設けられた第１凸部４１、第２凸部４２及び第１凹部５１の曲率半径（単位ｍｍ）に制限はないが、図４に例として示す曲率半径の各値の±１０ｍｍ程度であると好ましい。また、さらに好ましくは、上記曲率半径は、本体８及びヒップホールド部Ｈの形状及びサイズにもよるが、第１凸部４１の曲率半径Ｒを２５〜３５ｍｍ、第２凸部４２の曲率半径Ｒを３６〜４６ｍｍ、第１凹部５１の曲率半径Ｒを１０〜２０ｍｍとするとよい。
【００５５】
また、ヒップホールド部Ｈは、図１に示すように、後部領域２０において、第３凸部と、第３凸部の両側に隣接する第３凹部及び第４凹部とを有し、第３凸部頂点が、中心線ＣＬ上に位置していると好ましい。
【００５６】
吸収性物品を夜間就寝中に使用した場合には、装着者は仰向けに横たわる姿勢であることが多いため、臀部の割れ目に沿って後方に体液が流れやすい。しかし、第３凸部４３の頂点が前後方向に延びる中心線ＣＬ上に位置していると、臀部の割れ目の延長線上にヒップホールド部Ｈが突出して延在することになるので、臀部の割れ目に沿って流れてきた体液を良好にキャッチすることができる。
【００５７】
第３凸部の曲率半径は、図４に示すように、第３凹部の曲率半径及び第４凹部の曲率半径より小さくなっている。これにより、第３凸部４３が前後方向に延びる中心線ＣＬに沿って変形しやすくなる。つまり、ヒップホールド部Ｈの後方が、中心線ＣＬを山として盛り上がりやすくなる。そのため、ヒップホールド部Ｈが臀部の谷間に入り込みやすくなり、本体８を臀部の谷間にぴったりフィットさせることができるので、臀部の谷間を伝ってくる体液を素早く吸収することができる。よって、本発明の一態様による吸収性物品１は、体液が臀部の谷間に沿って流れやすい姿勢、つまり仰向けに横たわる姿勢で装着される物品、例えば夜用生理用ナプキンとして好適に用いることができる。
【００５８】
ヒップホールド部Ｈの後部領域２０に設けられた第３凸部４３、第３凹部５３及び第４凹部５４の曲率半径（単位ｍｍ）に制限はないが、図４に例として示す曲率半径の各値の±１０ｍｍ程度であると好ましい。また、さらに好ましくは、上記曲率半径は、本体８及びヒップホールド部Ｈの形状及びサイズにもよるが、第３凸部４３の曲率半径Ｒを２０〜３０ｍｍ、第３凹部５３の曲率半径及び第４凹部５４の曲率半径Ｒを共に４５〜５５ｍｍとするとよい。
【００５９】
吸収性物品１は、本体８の前方側部の両側に設けられた２つのウィングＷＧを含むウィング部Ｗを有していると好ましい。ウィング部Ｗは、前後方向で見て、ウィングＷＧの前方の終端からその後方の終端まで（ウィングＷＧの付け根の前方の端と後方の端まで）の部分とすることができる。ウィングＷＧは、上述のように、サイド不織布７と裏面シート２とが積層されて構成されている。ウィングＷＧは、装着時に下着のクロッチ部分に巻き込むようにして下着の外側へと折り曲げ、吸収性物品１を下着に固定する部分である。
【００６０】
前後方向で見て、ウィング部Ｗとヒップホールド部Ｈとの２つの拡張する部分の間に位置する中間部Ｍの外形には、凹凸を設けないことが好ましい。この中間部Ｍは、吸収性物品１の装着時には脚周りに接触する領域である。つまり、吸収性物品１の中で、脚からの力の影響を最も受けやすい領域であるので、この中間部Ｍの領域の外形線に凹凸を形成した場合、とりわけ、凸部において大腿部付け根の皮膚の動きによりめくれが発生する傾向が大きくなる。よって、中間部Ｍに凹凸を設けないことによって、吸収性物品１の側部でのめくれを防止することができ、装着感をさらに向上させることができる。
【００６１】
中間部Ｍの外形線は、凹凸を形成しなければ直線状でもよく、また、全体として、中心線側から外側に滑らかな凸部或いは中心線側に向かって滑らかな凹部となっていてよいが、装着感の向上の観点からは、凹部を有するものが好ましい。
【００６２】
なお、中間部Ｍは、図１に示すように、ウィングＷＧの後方の終端から、第２凸部４２の前方の終端までの領域とすることができる。
【００６３】
中間部Ｍとヒップホールド部Ｈとの前後方向の長さの比は、１：４〜２：３の範囲が好ましい。１：４以上とすることで、ヒップホールド部Ｈの凹凸が大腿部内側に入り込むことがなく、外形のめくれを防ぐことができる。２：３以下にすることで、ヒップホールド部Ｈの長さを十分に確保することができる。
【００６４】
本態様のヒップホールド部Ｈは、図１に示すように、やや胴長の中間部Ｍに続く面積拡張部分が後方側にシフトした形状になっており、臀部（ヒップ部分）を保持（ホールド）するような洋梨形状を有している。すなわち、吸収性物品１で最も幅が狭くなる点（ウィングＷＧの後方の終端）を通り且つヒップホールド部Ｈに接する線のうち幅方向で最も外側にある直線（仮想線）Ｘと、前後方向中心線ＣＬとのなす角度αが１５°以上２２°以下であると好ましく、１６°以上２０°以下であるとより好ましい。また、中間部Ｍ及びヒップホールド部Ｈは、上記直線Ｘの幅方向外側に突出する部分を有しない。このような形状によって、特に脚周りで違和感のない装着感に優れた吸収性物品が提供される。
【符号の説明】
【００６５】
１  吸収性物品
２  裏面シート
３  表面シート
４  吸収体
５  被包シート
７  サイド不織布
８  本体（吸収性物品本体）
１０  側部領域
２０  後部領域
４１  第１凸部
４２  第２凸部
４３  第３凸部
５１  第１凹部
５３  第３凹部
５４  第４凹部
Ｈ  ヒップホールド部
Ｗ  ウィング部
Ｅ  エンボス加工部
ＷＧ  ウィング
ＣＬ  前後方向中心線
ＳＬ  基準線
Ｘ  直線（仮想線）
【図１】
2018015240.tif 000003
【図２】
2018015240.tif 000004
【図３】
2018015240.tif 000005
【図４】
2018015240.tif 000006
【図５】
2018015240.tif 000007